(57)【要約】【課題】多芯のケーブルに使用するスペーサに対してそのケーブルからの分岐ケーブルを固定することができるようにスペーサを改良する。【解決手段】ケーブルに対する圧接面２７，２８とケーブルに平行する支持体に対する圧接面２５，２６とを有し、ケーブルを支持体に対して固定するために使用されるスペーサ１が、軸部１０の両端に対向端壁１１，１２を有する。対向端壁における周面には互いに離間平行する頂面部分１３，１４と底面部分とが形成されていて、これら両部分に圧接面２５，２６，２７，２８が形成される。対向端壁それぞれにおける内面にはコの字形の溝３７ａ，３７ｂ，３８ａ，３８ｂが形成され、溝の内端部には対向端壁の内面２１，２２と外面２３，２４とにつながる貫通孔４１ａ，４１ｂ，４２ａ，４２ｂが形成される。【選択図】図２
2008072882.tif 000002
【特許請求の範囲】
【請求項１】
断面が円形で水平に延びるケーブルに対しての圧接面と、前記ケーブルに平行で断面が円形の支持体に対しての圧接面とを有し、前記ケーブルと前記支持体との間に介在して前記ケーブルと前記支持体とに掛け回した締め付け用ストラップとの協働作用下に前記ケーブルを前記支持体に対して固定することができるケーブル用スペーサであって、
前記スペーサが、前記ケーブルに平行して延びる軸部と、前記軸部の両端において前記軸部と直交して前記軸部の径方向外側へ広がるように形成された対向端壁部とを有し、
前記対向端壁部は、前記軸部の軸方向において互いに対向する内面と、前記内面の反対面である外面と、前記内面と外面との間に介在する周面とを有し、
前記周面には、前記軸部と直交する方向へ延びていて垂直方向において前記軸部を介して互いに離間平行する水平な頂面部分と底面部分とが含まれるとともに、前記軸部と直交する方向へ延びていて水平方向において前記軸部を介して互いに離間平行する垂直な一対の側面部分が含まれており、
前記頂面部分と前記底面部分とには、前記ケーブルおよび前記支持体のいずれかを前記軸部に平行した状態で受容可能なＶ字形の溝が形成されていて、前記Ｖ字形の溝によって前記圧接面のそれぞれが提供されており、
互いに対向する前記内面のそれぞれには、前記側面部分から前記軸部に向かって水平に延びるコの字形の溝が前記軸方向において対向するように形成されており、前記コの字形の溝の内端部には前記内面と前記外面とにつながる貫通孔が形成されていることを特徴とする前記スペーサ。
【請求項２】
前記対向端壁部のそれぞれには、前記コの字形の溝と前記貫通孔とが前記軸部に関して対称となるように一対ずつ形成されている請求項１記載のスペーサ。
【請求項３】
前記頂面部分と前記底面部分とのうちの一方には垂直に延びる突起が形成され、もう一方には前記突起と相補形を成して垂直に延びる凹部が形成されており、２個の前記スペーサが、一方のスペーサの前記突部ともう一方のスペーサの前記凹部とを嵌合させた状態で積み重ね可能である請求項１または２記載のスペーサ。
【請求項４】
前記スペーサに着脱可能に形成されており、前記ケーブルからの分岐ケーブルを保持するための保持具であって、
前記対向端壁部において互いに対向している前記コの字形の溝それぞれへ前記軸方向への弾性変形下に挿入可能であり、挿入先端部には前記貫通孔へ進入可能なフックが形成されていて前記軸方向において互いに離間している一対の弾性アームと、前記軸方向へ延びていて前記分岐ケーブルを挿通可能に形成された前記分岐ケーブル用の保持溝とを有することを特徴とする前記保持具。
【請求項５】
前記保持具が板状体部分を有し、前記板状体部分の片面に前記弾性アームが形成されており、前記片面の反対面に前記保持溝が形成されている請求項４記載の保持具。
【請求項６】
前記保持溝に挿通された前記分岐ケーブルの前記保持溝からの脱落を防止可能な前記保持溝に対する蓋が一体的に形成されている請求項４または５記載の保持具。
【発明の詳細な説明】
【技術分野】
【０００１】
この発明は、光ケーブル等のケーブルを吊線等の支持体に固定するためのケーブル用スペーサおよび分岐ケーブルを保持するための同スペーサに着脱可能な保持具に関する。
【背景技術】
【０００２】
従来、支柱間に延びる光ケーブル等のケーブルをその支柱間に延びる吊線等の支持体に対して固定してケーブルを安定させるためのケーブル用スペーサはよく知られている。例えば、Ｔｈｏｍａｓ  ＆  Ｂｅｔｔｓ社のホームページ（ｈｔｔｐ：／／ｗｗｗ．ｔｎｂ．ｃｏｍ／ｐｓ／ｐｕｂｉｎｔ／）には、この種のケーブル用スペーサであって、締め付け用ストラップとともに使用するものが記載されている。また、ヘラマンタイトン（株）のホームページ（ｈｔｔｐ：／／ｗｗｗ．ｈｅｌｌｅｒｍａｎｎｔｙｔｏｎ．ｃｏ．ｊｐ）にも、締め付け用ストラップとともに使用するこの種のケーブル用スペーサが記載されている。
【非特許文献１】ｈｔｔｐ：／／ｗｗｗ．ｔｎｂ．ｃｏｍ／ｐｓ／ｐｕｂｉｎｔ／
【非特許文献２】ｈｔｔｐ：／／ｗｗｗ．ｈｅｌｌｅｒｍａｎｎｔｙｔｏｎ．ｃｏ．ｊｐ
【発明の開示】
【発明が解決しようとする課題】
【０００３】
前記従来のケーブル用スペーサは、１本のケーブルを１本の支持体に対して固定するために使用される。しかし、ケーブルが多芯のものであって、そのケーブルから複数の分岐ケーブルが枝分かれしているときには、それらのケーブルと分岐ケーブルとを吊線に対して固定して安定させたいという場合がある。前記従来のスペーサは、そのような場合の必要性に速やかに応えることができるというものではない。
【０００４】
そこで、この発明は、多芯のケーブルを支持体に固定するための従来のスペーサに対して、複数の分岐ケーブルの固定が可能となるように改良を施すことを課題にしている。
【課題を解決するための手段】
【０００５】
前記課題を解決するためにこの発明が対象とするのは、断面が円形で水平に延びるケーブルに対しての圧接面と、前記ケーブルに平行で断面が円形の支持体に対しての圧接面とを有し、前記ケーブルと前記支持体との間に介在して前記ケーブルと前記支持体とに掛け回した締め付け用ストラップとの協働作用下に前記ケーブルを前記支持体に対して固定することができるケーブル用スペーサである。
【０００６】
かかるスペーサにおいて、この発明が特徴とするところは、次のとおりである。前記スペーサは、前記ケーブルに平行して延びる軸部と、前記軸部の両端において前記軸部と直交して前記軸部の径方向外側へ広がるように形成された対向端壁部とを有する。前記対向端壁部は、前記軸部の軸方向において互いに対向する内面と、前記内面の反対面である外面と、前記内面と外面との間に介在する周面とを有する。前記周面には、前記軸部と直交する方向へ延びていて垂直方向において前記軸部を介して互いに離間平行する水平な頂面部分と底面部分とが含まれるとともに、前記軸部と直交する方向へ延びていて水平方向において前記軸部を介して互いに離間平行する垂直な一対の側面部分が含まれている。前記頂面部分と前記底面部分とには、前記ケーブルおよび前記支持体のいずれかを前記軸部に平行した状態で受容可能なＶ字形の溝が形成されていて、前記Ｖ字形の溝によって前記圧接面のそれぞれが提供されている。互いに対向する前記内面のそれぞれには、前記側面部分から前記軸部に向かって水平に延びるコの字形の溝が前記軸方向において対向するように形成されている。前記コの字形の溝の内端部には、前記内面と前記外面とにつながる貫通孔が形成されている。
【０００７】
この発明の好ましい実施態様の一つにおいて、前記対向端壁部のそれぞれには、前記コの字形の溝と前記貫通孔とが前記軸部に関して対称となるように一対ずつ形成されている。
【０００８】
この発明の好ましい実施態様の一つにおいて、前記頂面部分と前記底面部分とのうちの一方には垂直に延びる突起が形成され、もう一方には前記突起と相補形を成して垂直に延びる凹部が形成されており、２個の前記スペーサが、一方のスペーサの前記突部ともう一方のスペーサの前記凹部とを嵌合させた状態で積み重ね可能である。
【０００９】
この発明はまた、前記スペーサに着脱可能に形成されており、前記ケーブルからの分岐ケーブルを保持するための保持具をも対象にしている。かかるこの発明が特徴とするところは、前記保持具が、前記対向端壁部において互いに対向している前記コの字形の溝それぞれへ前記軸方向への弾性変形下に挿入可能であり、挿入先端部には前記貫通孔へ進入可能なフックが形成されていて前記軸方向において互いに離間している一対の弾性アームと、前記軸方向へ延びていて前記分岐ケーブルを挿通可能に形成された前記分岐ケーブル用の保持溝とを有すること、にある。
【００１０】
この発明の好ましい実施態様の一つにおいて、前記保持具が板状体部分を有し、前記板状体部分の片面に前記弾性アームが形成されており、前記片面の反対面に前記保持溝が形成されている。
【００１１】
この発明の好ましい実施態様の他の一つにおいて、前記保持溝に挿通された前記分岐ケーブルの前記保持溝からの脱落を防止可能な前記保持溝に対する蓋が一体的に形成されている。
【発明の効果】
【００１２】
この発明に係るケーブル用スペーサは、それをケーブルと支持体との間に介在させて、対向端壁部の頂面部分と底面部分とに形成されているＶ字形の溝にケーブルと支持体とを受容し、その後にケーブルと支持体とに締め付け用ストラップを掛け回すことによって、ケーブルを支持体に対して固定することができる。そのスペーサの対向端壁部それぞれの内面に形成されたコの字形の溝に対しては、分岐ケーブルを保持するための保持具に一対の弾性アームを形成しておいて、この弾性アームを挿入するとともに弾性アームの先端に設けられたフックを溝の内端部に形成されている貫通孔に対して係合させると、その保持具をスペーサに取り付けることができ、それと同時に保持具を介して分岐ケーブルを支持体に対して間接的に固定することができる。
【００１３】
対向端壁部のそれぞれに、コの字形の溝と貫通孔とが軸部に関して対称に形成されている態様のこの発明では、スペーサに対する保持具の取り付け位置の選択が可能になる。
【００１４】
対向端壁部の頂面部分と底面部分とに突起とその突起と相補形を成す凹部とが形成されている態様のこの発明では、複数のスペーサの間において、その突起と凹部とを嵌合させることによって、スペーサどうしを安定した状態で積み重ねることができる。
【００１５】
この発明におけるその他の態様が奏する効果は、以下の説明において詳述される。
【発明を実施するための最良の形態】
【００１６】
添付の図面を参照してこの発明に係るケーブル用スペーサの詳細を説明すると、以下のとおりである。
【００１７】
図１は、使用状態にあるケーブル用スペーサ１の斜視図である。図では、右方から左方へ水平に延びる多芯の光ケーブル２がクロージャ３へ進入している。クロージャ３からはロッド４が右方へ水平に延出しており、そのロッド４が上方へ向かって垂直に延びて電柱（図示せず）間に延びる吊線（図示せず）に固定されている。スペーサ１は、それぞれの断面が円形である光ケーブル２とロッド４との間に介在しており、光ケーブル２とロッド４とがそれらに掛け回されたストラップ６によってスペーサに締め付けられている。かようにすることで、光ケーブル２がロッド４に対して安定した状態で固定されている。
【００１８】
図２は、スペーサ１の部分破断斜視図である。スペーサ１は、光ケーブル２に平行して水平に延びる軸部１０と、軸部１０の両端において軸部１０の径方向外側へ広がっていて軸部１０の軸方向において互いに対向する垂直な第１対向端壁部１１と第２対向端壁部１２とを有する。第１，第２対向端壁部１１，１２は、軸方向において対向する内面２１，２２と、内面２１，２２の反対面である外面２３，２４とを有し、内面２１と外面２３との間には周面５１が介在し、内面２２と外面２４との間には周面５２が介在している。周面５１と５２とは、軸部１０と直交する方向へ水平に延びる頂面部分１３，１４と底面部分１５，１６とを有するとともに、軸部１０と直交する方向へ垂直に延びる一対の側面部分１７ａ，１７ｂと１８ａ，１８ｂとを有する。頂面部分１３，１４にはＶ字形の溝２５，２６が形成されており、底面部分１５，１６には倒立したＶ字形の溝２７，２８が形成されていて、これらの溝２５，２６，２７，２８におけるＶ字の谷底は軸部１０の中心線Ｃ−Ｃにほぼ一致しており、Ｖ字の傾斜面はロッド４と光ケーブル２とに対する圧接面を提供している（図１参照）。また、頂面部分１３と１４とには、一対ずつの垂直な円柱状突起３１ａ，３１ｂと３２ａ，３２ｂとが形成されている。底面部分１５と１６とには、これらの突起３１ａ，３１ｂ，３２ａ，３２ｂを嵌合させることが可能な相補形の円筒状凹部３３ａ，３３ｂと３４ａ，３４ｂとが形成されている（図３参照）。
【００１９】
図２において、第１対向端壁部１１の内面２１では、側面部分１７ａ，１７ｂのそれぞれから軸部１０に向かってコの字形の溝３７ａ，３７ｂが水平に延びている。また、第２対向端壁部１２の内面２２では、側面部分１８ａ，１８ｂのそれぞれから軸部１０に向かってコの字形の溝３８ａ，３８ｂが水平に延びている。溝３７ａと３８ａおよび溝３７ｂと３８ｂは軸方向において対向している。溝３７ａ，３７ｂそれぞれの内端部には、第１対向端壁部１１の内面２１と外面２３とにつながる矩形の貫通孔４１ａ，４１ｂが形成されており、溝３８ａ，３８ｂそれぞれの内端部には、第２対向端壁部１２の内面２２と外面２４とにつながる矩形の貫通孔４２ａ，４２ｂが形成されている。軸部１０には、ストラップ挿通孔４３が形成されている。図示してはいないが、挿通孔４３は、軸方向において横並びとなるように２つ以上作ることができる。また、複数の挿通孔４３を、軸部１０の径方向において対称となるように作ることもできる。
【００２０】
かように形成されているスペーサ１を図１の態様で使用するときには、底面部分１５の溝２７と底面部分１６の溝２８とを光ケーブル２の周面に当て、頂面部分１３の溝２５と頂面部分１４の溝２６とをロッド４の周面に当て、挿通孔４３に通したストラップ６を光ケーブル２とロッド４とに掛け回して軸部１０の周面に向かって強く締め付ければよい。
【００２１】
図３は、スペーサ１の側面図であって、このスペーサ２に積み重ねられたスペーサ１が仮想線で示されている。これらの各スペーサ１では、頂面部分１３，１４に形成されている突起３１ａ，３１ｂ，３２ａ，３２ｂが、底面部分１５，１６に形成されている凹部３３ａ，３３ｂ，３４ａ，３４ｂに離脱可能に嵌合して、スペーサ１どうしの重なり合いが維持されている。ただし、図３において、突起３１ｂは突起３１ａの後方に位置しているものであり、突起３２ｂは突起３２ａの後方に位置しているものである。また、凹部３３ｂは凹部３３ａの後方に、凹部３４ｂは凹部３４ａの後方に位置している。光ケーブル２とロッド４との間隔が大きい場合には、このように積み重ねられた複数のスペーサ１を使用することができる。
【００２２】
図４は、この発明の実施態様の一例を示す図１と同様な図である。図４の態様のスペーサ１には、光ケーブル２から枝分かれした分岐ケーブル６１ａ，６１ｂ（図１参照）を保持するための保持具６２が取り付けられている。クロージャ３へ進入した多芯の光ケーブル２は、クロージャ３の内部で複数条の分岐ケーブルに枝分かれしており、例えば、そのうちの分岐ケーブル６１ａ，６１ｂがクロージャ３から図の右方へ延出して保持具６２へと導かれている。分岐ケーブル６１ａ，６１ｂは、保持具６２において互いに並行に保持されるとともに、この保持具６２とスペーサ１とを介してロッド４に間接的に固定されている。保持具６２は、分岐ケーブル６１ａ，６１ｂが挿通される複数条の保持溝６３と、保持溝６３からの分岐ケーブル６１ａ，６１ｂの脱落を防止するための蓋６４とを有する。図には、開いた状態の蓋６４が仮想線で示されている。
【００２３】
図５は、蓋６４が開いた状態にある保持具６２の斜視図である。保持具６２は矩形の板状体部６６を有し、その板状体部６６がスペーサ１と向かい合う面６７には一対の弾性アーム７１，７２がスペーサ１の溝３７ａと３８ａとに向かうように水平に延びている（図２参照）。その弾性アーム７１，７２の先端にはフック７３，７４が形成されている。スペーサ１の軸方向において、フック７３と７４との間の寸法Ａは、溝３７ａと３８ａとの離間寸法ａ（図２参照）よりも僅かに大きく、また、フック７３，７４の幅Ｂは溝３７ａ，３８ｂの幅ｂよりもごく僅かだけ小さいから、フック７３と７４とを溝３７ａと３８ａとに挿入すると、弾性アーム７１，７２がスペーサ１の軸方向において互いに接近するように弾性変形する。さらに深く挿入すると、フック７３と７４とがスペーサ１に形成されている貫通孔４１ａ，４２ａにスナップ係合して、保持具６２が図４の如くスペーサ１に対して取り付けられる。板状体部６６における面６７に対しての反対面６８には、スペーサ１の軸方向へ延びる保持溝６３が形成されている。保持溝６３にはその軸方向へ直状に延びるものと図の下方に向かって僅かに湾曲した状態で延びるものとがあって、分岐ケーブル６１ａ，６１ｂの性状によって使い分けることができる。湾曲した保持溝６３では、それに挿通した分岐ケーブルに対しての脱落防止効果が得られる。
【００２４】
板状体部６６の下方には可撓性の連結部７６を介して蓋６４が一体的に形成されている。蓋６４の内面にはフック部７７ａ，７７ｂが形成されており、蓋６４を閉じると、そのフック部７７ａ，７７ｂが板状体部６６の所要部位に形成された係合孔７８ａ，７８ｂに離脱可能に係合する。
【００２５】
かように形成されていてスペーサ１に取り付けられた保持具６２は、分岐ケーブル６１ａ，６１ｂを保持溝６３のそれぞれに挿通することによってこれら分岐ケーブル６１ａ，６１ｂを整然と、しかも確実にロッド４に対して固定することができる。また、スペーサ１から保持具６２を外すには、スペーサ１における貫通孔４１ａ，４２ａに第１，第２対向端壁部１１，１２の外面２３，２４の側からドライバ等の工具を挿入して保持具６２におけるフック７３，７４を押し、弾性アーム７１，７２を弾性変形させてフック７３，７４を貫通孔４１ａ，４２ａから離脱させればよい。かようなスペーサ１によれば、このスペーサ１に対する保持具６２の着脱が容易である。
【００２６】
この発明におけるスペーサ１と保持具６２とは、熱可塑性合成樹脂を射出成形することによって得ることができる。
【産業上の利用可能性】
【００２７】
この発明によれば、光ケーブル等のケーブルと、そのケーブルからの分岐ケーブルとを支持具に対して固定することが容易なケーブル用スペーサの製造が可能になる。
【図面の簡単な説明】
【００２８】
【図１】使用状態にあるケーブル用スペーサの斜視図。
【図２】ケーブル用スペーサの部分破断斜視図。
【図３】積み重ねられたケーブル用スペーサの側面図。
【図４】ケーブル用スペーサの使用態様の一例を示す図。
【図５】保持具の斜視図。
【符号の説明】
【００２９】
１    ケーブル用スペーサ
２    ケーブル
４    支持体
６    ストラップ
１０    軸部
１１    対向端壁部
１２    対向端壁部
１３    頂面部分
１４    頂面部分
１５    底面部分
１６    底面部分
１７ａ，１７ｂ    側面部分
１８ａ，１８ｂ    側面部分
２１    内面
２２    内面
２３    外面
２４    外面
２５    Ｖ字形の溝
２６    Ｖ字形の溝
２７    Ｖ字形の溝
２８    Ｖ字形の溝
３１ａ，３１ｂ    突起
３２ａ，３２ｂ    突起
３３ａ，３３ｂ    凹部
３４ａ，３４ｂ    凹部
３７ａ，３７ｂ    コの字形の溝
３８ａ，３８ｂ    コの字形の溝
４１ａ，４１ｂ    貫通孔
４２ａ，４２ｂ    貫通孔
６１ａ，６１ｂ    分岐ケーブル
６２    保持具
６３    保持溝
６４    蓋
７１    弾性アーム
７２    弾性アーム
７３    フック
７４    フック
【図１】
2008072882.tif 000003
【図２】
2008072882.tif 000004
【図３】
2008072882.tif 000005
【図４】
2008072882.tif 000006
【図５】
2008072882.tif 000007